(57)【要約】【課題】スライド孔を備えた軸筒側壁外周面に大きな挟持力と高い耐久性を有するクリップを容易に取り付けることができる出没式筆記具を提供する。【解決手段】クリップ５が、挟持片部５１とリング状の取付部５２とを備える。挟持片部５１と取付部５２が金属材料により一体に形成される。取付部５２が軸方向前方に開放され且つ径方向に貫通された切り欠き５２ａを備える。取付部５２が軸筒２の側壁外周面に取り付けられる。取付部５２の切り欠き５２ａと軸筒２のスライド孔２２とが径方向に連通される。操作部４が、スライド孔２２及び切り欠き５２ａを通して径方向外方に突出される。【選択図】  図１
2016104518.tif 000002
【特許請求の範囲】
【請求項１】
軸筒の内部に筆記体が軸方向に移動可能に収容され、前記軸筒の側壁に軸方向に延びるスライド孔が設けられ、前記スライド孔より操作部が径方向外方に突出され、前記操作部が前記スライド孔に沿って軸方向に移動可能に構成され、前記操作部を前方にスライド操作することにより前記筆記体のペン先を没入状態から軸筒前端より突出状態にする出没機構を有し、前記軸筒の外面にクリップを備えた出没式筆記具であって、
前記クリップが挟持片部と該挟持片部に一体に連設されたリング状の取付部とを備え、前記挟持片部と前記取付部が金属材料により一体に形成され、前記取付部が軸方向前方に開放され且つ径方向に貫通された切り欠きを備え、前記取付部が前記軸筒の側壁外周面に取り付けられるとともに、前記取付部の切り欠きと前記スライド孔とが径方向に連通され、前記操作部が前記スライド孔及び前記切り欠きを通して径方向外方に突出されることを特徴とする出没式筆記具。
【請求項２】
前記クリップが軸筒に取り付けられた状態における前記切り欠きの幅寸法が、前記スライド孔の幅寸法よりも大きく設定される請求項１に記載の出没式筆記具。
【請求項３】
前記筆記体の内部に熱変色性インキが収容され、前記筆記体の前端に前記熱変色性インキが吐出可能なペン先を備え、前記軸筒の後端部に、前記熱変色性インキの筆跡を摩擦しその際に生じる摩擦熱で該筆跡を熱変色可能な低摩耗性の弾性材料からなる摩擦部が設けられ、前記摩擦部の最大外径が、前記軸筒の側壁外周面に取り付けられる前のリング状の取付部の内径よりも小さく設定される請求項１または２に記載の出没式筆記具。
【発明の詳細な説明】
【技術分野】
【０００１】
本発明は、出没式筆記具に関する。詳細には、軸筒の側壁より径方向外方する操作部を前方にスライド操作することによりペン先を没入状態から突出状態にする出没機構を備えたサイドスライド式の出没式筆記具に関する。
【背景技術】
【０００２】
従来この種の筆記具において、例えば、特許文献１には、軸筒の後端部に、操作体が突出する窓孔とクリップ取付孔とが貫設され、該クリップ取付孔に合成樹脂からなるクリップの基部が固着されたものが記載されている。
【先行技術文献】
【特許文献】
【０００３】
【特許文献１】特開２００５−８１８２２号公報
【発明の概要】
【発明が解決しようとする課題】
【０００４】
前記特許文献１の筆記具は、クリップが合成樹脂からなるため、クリップの大きな挟持力が長期に渡り得られず、筆記具をポケットや手帳等の被挟持物に挿入しても不用意に脱落するおそれがある。本発明は、前記従来の問題点を解決するものであって、スライド孔を備えた軸筒側壁外周面に大きな挟持力と高い耐久性を有するクリップを容易に取り付けることができる出没式筆記具を提供しようとするものである。
尚、本発明において、「前」とはペン先側を指し、「後」とはその反対側を指す。
【課題を解決するための手段】
【０００５】
本願の第１の発明は、軸筒２の内部に筆記体が軸方向に移動可能に収容され、前記軸筒２の側壁に軸方向に延びるスライド孔２２が設けられ、前記スライド孔２２より操作部４が径方向外方に突出され、前記操作部４が前記スライド孔２２に沿って軸方向に移動可能に構成され、前記操作部４を前方にスライド操作することにより前記筆記体のペン先３を没入状態から軸筒２前端より突出状態にする出没機構を有し、前記軸筒２の外面にクリップ５を備えた出没式筆記具であって、前記クリップ５が挟持片部５１と該挟持片部５１に一体に連設されたリング状の取付部５２とを備え、前記挟持片部５１と前記取付部５２が金属材料により一体に形成され、前記取付部５２が軸方向前方に開放され且つ径方向に貫通された切り欠き５２ａを備え、前記取付部５２が前記軸筒２の側壁外周面に取り付けられるとともに、前記取付部５２の切り欠き５２ａと前記スライド孔２２とが径方向に連通され、前記操作部４が前記スライド孔２２及び前記切り欠き５２ａを通して径方向外方に突出されることを要件とする。
【０００６】
前記第１の発明の出没式筆記具１は、前記クリップ５が挟持片部５１と該挟持片部５１に一体に連設されたリング状の取付部５２とを備え、前記挟持片部５１と前記取付部５２が金属材料により一体に形成されるため、クリップ５の大きな挟持力と高い耐久性が得られ、ポケットや手帳等の被挟持物を長期に渡り強く挟持することができる。さらに、前記第１の発明の出没式筆記具１は、前記取付部５２が軸方向前方に開放され且つ径方向に貫通された切り欠き５２ａを備え、前記取付部５２が前記軸筒２の側壁外周面に取り付けられるとともに、前記取付部５２の切り欠き５２ａと前記スライド孔２２とが径方向に連通され、前記操作部４が前記スライド孔２２及び前記切り欠き５２ａを通して径方向外方に突出されることにより、操作部４のスムーズなスライド操作を阻害することなく、スライド孔２２を備えた軸筒２側壁外周面に大きな挟持力と高い耐久性を有するクリップ５を容易に取り付けることができる。
【０００７】
本願の第２の発明は、前記第１の発明の出没式筆記具１において、前記クリップ５が軸筒２に取り付けられた状態における前記切り欠き５２ａの幅寸法が、前記スライド孔２２の幅寸法よりも大きく設定されることを要件とする。
【０００８】
前記第２の発明の出没式筆記具１は、前記クリップ５が軸筒２に取り付けられた状態における前記切り欠き５２ａの幅寸法が、前記スライド孔２２の幅寸法よりも大きく設定されることにより、スライド操作時に操作部４が取付部５２に接触することを確実に回避でき、操作部４のスムーズなスライド操作が得られる。
【０００９】
本願の第３の発明の出没式筆記具１は、前記第１または第２の発明の出没式筆記具１において、前記筆記体の内部に熱変色性インキが収容され、前記筆記体の前端に前記熱変色性インキが吐出可能なペン先３を備え、前記軸筒２の後端部に、前記熱変色性インキの筆跡を摩擦しその際に生じる摩擦熱で該筆跡を熱変色可能な低摩耗性の弾性材料からなる摩擦部６が設けられ、前記摩擦部６の最大外径が、前記軸筒２の側壁外周面に取り付けられる前のリング状の取付部５２の内径よりも小さく設定されることを要件とする。
【００１０】
前記第３の発明の出没式筆記具１は、前記摩擦部６の最大外径が、前記軸筒２の側壁外周面に取り付けられる前のリング状の取付部５２の内径よりも小さく設定されることにより、クリップ５の取付時、軸筒２後端部に摩擦部を有する状態においてリング状の取付部５２を軸筒２の摩擦部６側から挿入しても取付部５２が摩擦部６に引っ掛かることがなく、取付部５２を軸筒２側壁外周面に容易に取り付けることができ、また、クリップを容易に取り外すこともできる。即ち、クリップを着脱自在にすることも可能となる。前記第３の発明の出没式筆記具１により、金属クリップ５を備えた出没式の熱変色性筆記具が得られる。
【００１１】
尚、本願発明において、軸筒２内に収容される筆記体は、少なくとも１本であればよく、例えば、１本または複数本が挙げられる。前記軸筒２内に収容される筆記体の本数と同数のスライド孔２２及び操作部４が軸筒２の側壁外周面に設けられる。
【００１２】
また、本願発明において、前記取付部５２に設けられる切り欠き５２ａは、少なくとも軸方向前方に開放されていればよい。例えば、前記切り欠き５２ａは、軸方向に貫通する構成（図３）、または軸方向前方に開放され且つ軸方向後方に閉鎖される構成（図６、図７）が挙げられる。前記切り欠き５２ａが軸方向に貫通する構成の場合、筆記体、スライド孔２２、及び操作部４の各々が単一の構成（図３）が有効であり、前記切り欠き５２ａが軸方向前方に開放され且つ軸方向後方に閉鎖される構成の場合、筆記体、スライド孔２２、及び操作部４の各々が単一の構成（図６）、または、筆記体、スライド孔２２及び操作部４の各々が複数の構成（図７）が採用される。
【発明の効果】
【００１３】
本発明の出没式筆記具によれば、スライド孔を有する軸筒側壁外周面に大きな挟持力と高い耐久性を有するクリップを容易に取り付けることができる。
【図面の簡単な説明】
【００１４】
【図１】本発明の第１の実施の形態のペン先没入状態を示す側面図である。
【図２】図１のペン先突出状態を示す側面図である。
【図３】図１の背面図である。
【図４】図２の背面図である。
【図５】図３の平面図である。
【図６】本発明の第２の実施の形態のペン先没入状態を示す背面図である。
【図７】本発明の第３の実施の形態のペン先没入状態を示す背面図である。
【発明を実施するための形態】
【００１５】
図１乃至図５に本発明の第１の実施の形態を示す。
【００１６】
＜第１の実施の形態＞
図１及び図５に本発明の第１の実施の形態を示す。
本実施の形態の出没式筆記具１は、軸筒２と、該軸筒２内に収容される１本の筆記体と、該筆記体のペン先３を軸筒２の前端孔２１より出没自在にさせる出没機構と、前記軸筒２の側壁より径方向外方に突出された１つの操作部４と、前記軸筒２の後端部に設けられた摩擦部６と、前記軸筒２の後部側壁に設けられたクリップ５とを備える。
【００１７】
・筆記体
前記筆記体は、ペン先３と、該ペン先３が前端開口部に圧入固着されたインキ収容管と、該インキ収容管内に充填される熱変色性インキと、該熱変色性インキの後端に充填され且つ該熱変色性インキの消費に伴い前進する追従体（例えば高粘度流体）とからなる。
【００１８】
前記ペン先３は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管の後端開口部に、インキ収容管と外部とが通気可能な通気孔を備えた尾栓が取り付けられる。前記ペン先３の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３の前端からのインキの漏出及びインキの蒸発を防止できる。
【００１９】
・軸筒
前記軸筒２は、先細円筒状の前軸２ａと、該前軸２ａの後端部に連結される円筒状の中間軸２ｂと、該中間軸２ｂの後端部に連結される円筒状の後軸２ｃとからなる。前記軸筒２側壁（例えば中間軸２ｂの側壁及び後軸２ｃの側壁）には、軸方向に延びる１本のスライド孔２２が形成される。前記軸筒２の後端（即ち後軸２ｃの後端）には、取付孔が設けられる。前記取付孔に弾性材料からなる摩擦部６が圧入嵌合される。前記摩擦部６は、前記操作部４の軸方向の移動に連動せず、後軸２ｃ（軸筒２）の後端外面に固定される。前記摩擦部６は、操作部４と独立して設けられる。
【００２０】
・出没機構
前記出没機構は、回転カム機構を用いたサイドスライド式出没機構である。前記出没機構は、図示はしないが、中間軸２ｂ内面に形成されたカム部と、該カム部に係合し且つ筆記体の後端に当接する回転部材と、該回転部材に係合し且つスライド孔２２より径方向外方に突出する操作部４と、軸筒２内に収容され且つ筆記体を後方に付勢する弾発体（例えば圧縮コイルスプリング）とからなる。本実施の形態の出没機構は、ペン先突出操作及びペン先没入操作のいずれもが操作部４を前方にスライド操作するダブルノック式である。
【００２１】
前記カム部は、前方に突出する鋸歯状の複数のカム歯と、該カム歯間に形成される、軸方向に延びる複数のカム溝とを備える。前記回転部材は、その外面に軸方向に延びる複数本（例えば４本）の突条を備え、該突条が、カム部のカム歯及びカム部のカム溝と係合される。前記操作部４の前端には、回転部材の突条の後端と係合するカム歯が一体または別部材の取り付けにより形成される。
【００２２】
・操作部
前記操作部４は、軸筒２側壁の軸方向に延びるスライド孔２２より径方向外方に突出される。前記操作部４を前方に押圧操作することによって、筆記体のペン先３が軸筒２の前端孔２１から出没自在に構成される。
【００２３】
・クリップ
前記クリップ５は、前端部内面に玉部５１ａが突設された軸方向に延びる挟持片部５１と、該挟持片部５１の後端部に一体に連設されるリング状の取付部５２とを備え、金属材料（例えばステンレス鋼）により一体に形成される。前記クリップ５は、具体的には、金属板の折り曲げ加工により得られ、玉部５１ａと、該玉部５１ａが前端部内面に一体に形成された板状の挟持片部５１と、該挟持片部５１の後端部に一体に形成される円筒状の取付部５２とからなる。
【００２４】
・挟持片部
前記クリップ５が軸筒２側壁外周面に取り付けられた状態において、前記挟持片部５１が径方向内方（軸筒２側）に常時付勢され、前記挟持片部５１の玉部５１ａが、軸筒２側壁外周面に常時圧接される。本実施の形態の出没式筆記具１を衣服のポケットや手帳の筒状保持部に挿入した際に、前記挟持片部５１の玉部５１ａと軸筒２側壁外周面との間で、前記ポケットや筒状保持部が挟持される。
【００２５】
・リング状の取付部
前記リング状の取付部５２は、径方向に貫通し且つ軸方向に貫通する１本の切り欠き５２ａを有する。前記切り欠き５２ａは、取付部５２の挟持片部５１と連設される部分の反対側に形成される。前記取付部５２が、スライド孔２２の位置する軸筒２側壁外周面に取り付けられる。前記取付部５２が軸筒２側壁外周面に取り付けられた状態において、前記切り欠き５２ａと前記スライド孔２２とが径方向に連通される。それにより、前記操作部４が前記スライド孔２２及び前記切り欠き５２ａを通して外部に突出され、操作部４のスライド操作時が操作部４と取付部５２が接触すること回避できる。
【００２６】
また、前記軸筒２にクリップ５が取り付けられた状態における前記切り欠き５２ａの幅寸法が、前記スライド孔２２の幅寸法よりも大きく形成される。それにより、スライド操作時に操作部４が取付部５２に接触することを確実に回避でき、操作部４のスムーズなスライド操作が確実に維持可能となる。
【００２７】
前記スライド孔２２の周囲の軸筒２の側壁外周面に規制壁部２３が形成される。前記規制壁部２３は、前記切り欠き５２ａの対向面が当接されることにより、前記取付部５２が軸筒２に対して回転することが防止される。前記規制壁部２３は、スライド孔２２の後端部の周縁の対向側部に突出形成される。さらに、前記軸筒２側壁外周面に環状凹部を形成し、前記環状凹部に前記リング状の取付部５２が係合することにより、クリップ５が軸方向に移動することを確実に防止される。
【００２８】
前記切り欠き５２ａが軸方向に貫設される構成の場合、スライド孔２２が位置する軸筒２側壁外周面の自由な位置に取付部５２を取り付けることができ、また、リング状の取付部５２の径方向の弾性変形を利用して、容易な取り付けが可能となる。前記切り欠き５２ａが軸方向に貫設される構成は、１本の筆記体の場合に有効である。
【００２９】
・摩擦部
前記軸筒２の後端部に、低摩耗性の弾性材料からなる摩擦部６が設けられる。前記摩擦部６は、筆記体によって得られた熱変色性インキの筆跡を摩擦しその際に生じる摩擦熱で該筆跡を熱変色可能である。前記摩擦部６の最大外径は、前記軸筒２の側壁外周面に取り付けられる前のリング状の取付部５２の内径よりも小さく形成される。
【００３０】
前記摩擦部６７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部６を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。また、前記摩擦部６は、軸筒２の後端部外面に少なくとも設ければよく、例えば、軸筒２の後端部外面もしくは後軸２ｃの後端部外面に弾性材料よりなる摩擦部６を圧入、係合、螺合、嵌合、接着、２色成形等によって固着する構成、または軸筒２の全体もしくは後軸２ｃの全体が弾性材料により一体に形成される構成が挙げられる。
【００３１】
本実施の形態の出没式筆記具１は、前記クリップ５が挟持片部５１と該挟持片部５１に一体に連設されたリング状の取付部５２とを備え、前記挟持片部５１と前記取付部５２が金属材料により一体に形成されるため、クリップ５の大きな挟持力と高い耐久性が得られ、ポケットや手帳等の被挟持物を長期に渡り強く挟持することができる。さらに、本実施の形態の出没式筆記具１は、前記取付部５２が軸方向前方に開放され且つ径方向に貫通された切り欠き５２ａを備え、前記取付部５２が前記軸筒２の側壁外周面に取り付けられるとともに、前記取付部５２の切り欠き５２ａと前記スライド孔２２とが径方向に連通され、前記操作部４が前記スライド孔２２及び前記切り欠き５２ａを通して径方向外方に突出されることにより、操作部４のスムーズなスライド操作を阻害することなく、スライド孔２２を備えた軸筒２側壁外周面に大きな挟持力と高い耐久性を有するクリップ５を容易に取り付けることができる。
【００３２】
本実施の形態の出没式筆記具１は、前記クリップ５が軸筒２に取り付けられた状態における前記切り欠き５２ａの幅寸法が、前記スライド孔２２の幅寸法よりも大きく設定されることにより、スライド操作時に操作部４が取付部５２に接触することを確実に回避でき、操作部４のスムーズなスライド操作が得られる。
【００３３】
本実施の形態の出没式筆記具１は、前記摩擦部６の最大外径が、前記軸筒２の側壁外周面に取り付けられる前のリング状の取付部５２の内径よりも小さく設定されることにより、クリップ５の取付時、リング状の取付部５２を軸筒２の摩擦部６側から挿入しても取付部５２が摩擦部６に引っ掛かることがなく、取付部５２を軸筒２側壁外周面に容易に取り付けることができる。本実施の形態の出没式筆記具１により、金属クリップ５を備えた出没式の熱変色性筆記具が得られる。
【００３４】
＜第２の実施の形態＞
図６に本発明の第２の実施の形態を示す。
第１の実施の形態の変形例であり、第１の実施の形態と異なる点は、前記切り欠き５２ａが前方に開放され且つ後方に閉鎖される構成（即ち軸方向に貫設されない構成）であり、前記取付部５２がスライド孔２２の後端近傍の軸筒２側壁外周面に取り付けられる点、及び前記規制壁部２３がスライド孔２２の後端部の周縁部の対向側部及び後端に形成され、前記取付部５２の切り欠き５２ａ内部に前記規制壁部２３が挿入される点である。第２の実施の形態の他の構成及び作用効果は、第１の実施の形態と共通であり、説明は省略する。
【００３５】
＜第３の実施の形態＞
図７に本発明の第３の実施の形態を示す。
第２の実施の形態の変形例であり、第２の実施の形態と異なる点は、切り欠き５２ａ、操作部４、スライド孔２２、筆記体が複数形成される点、及び出没機構が、一つの操作部４をスライド孔２２に沿って前方にスライド操作することにより、その一つの操作部４を先にペン先突出状態にあった他の筆記体の操作部４と当接させ、先にペン先突出状態にあった他の筆記体の操作部４と軸筒２内壁との係止状態を解除し、先に突出状態にあった他の筆記体のペン先３を軸筒２内に没入させ、前記前方にスライド操作した操作部４に連結された筆記体のペン先３を軸筒２の前端孔２１から突出させてなる構成である点である。第３の実施の形態の他の構成及び作用効果は、第１及び第２の実施の形態と共通であり、説明は省略する。
【符号の説明】
【００３６】
１  出没式筆記具
２  軸筒
２ａ  前軸
２ｂ  中間軸
２ｃ  後軸
２１  前端孔
２２  スライド孔
２３  規制壁部
３  ペン先
４  操作部
５  クリップ
５１  挟持片部
５１ａ  玉部
５２  取付部
５２ａ  切り欠き
６  摩擦部
【図１】
2016104518.tif 000003
【図２】
2016104518.tif 000004
【図３】
2016104518.tif 000005
【図４】
2016104518.tif 000006
【図５】
2016104518.tif 000007
【図６】
2016104518.tif 000008
【図７】
2016104518.tif 000009